(57)【要約】  【課題】什器本体に第１の抽斗を支持させるとともに、第１の抽斗内部に第２の抽斗を配置可能にし、この第２の抽斗を什器本体内部に収納可能にしている什器において、第２の抽斗を設けない什器との什器本体の仕様及び設計の共通化を図る。  【解決手段】什器本体１と、この什器本体１に第１の進退支持機構３を介して支持された第１の抽斗２と、この第１の抽斗２に第２の進退支持機構５を介して支持された第２の抽斗４とを具備してなることを特徴とする什器Ｃを用いる。  【選択図】図３
2006192163.tif 000002
【特許請求の範囲】
【請求項１】
什器本体と、この什器本体に第１の進退支持機構を介して支持された第１の抽斗と、この第１の抽斗に第２の進退支持機構を介して支持された第２の抽斗とを具備してなることを特徴とする什器。
【請求項２】
第１の進退支持機構による進退支持方向と第２の進退支持機構による進退支持方向とを略正反対に設定し、第１の抽斗を什器本体の外方に引き出した状態において、第２の抽斗を什器本体の内方に移動させ得るようにしていることを特徴とする請求項１記載の什器。
【請求項３】
第１、第２の進退支持機構が、前記第１、第２の抽斗を少なくともその奥行き寸法に相当する距離だけ進退し得るように支持するものであることを特徴とする請求項２記載の什器。
【請求項４】
第１の進退支持機構を、サスペンションレール機構を利用して形成していることを特徴とする請求項２又は３記載の什器。
【請求項５】
第２の抽斗を第１の抽斗にロックするための第２抽斗施錠装置を備えていることを特徴とする請求項１、２、３又は４記載の什器。
【請求項６】
第２の抽斗を、第１の抽斗の上面開口部を略全面的に閉塞する閉止位置に配し得ることを特徴とする請求項５記載の什器。
【請求項７】
第２の抽斗が、第１の抽斗の特定の空間を閉塞し得る形状のものであり、第２の進退支持機構が、前記第２の抽斗を、前記特定の空間を閉塞する閉止位置と、前記特定の空間を開放する開放位置との間で進退し得るように支持するものであることを特徴とする請求項５記載の什器。
【請求項８】
第１の抽斗を什器本体にロックするための第１抽斗施錠装置を備えていることを特徴とする請求項６又は７記載の什器。
【請求項９】
前記第１の抽斗に第３の進退支持機構を介して支持された第３の抽斗をさらに具備することを特徴とする請求項１、２、３、４、５、６、７又は８記載の什器。
【請求項１０】
前記第１の抽斗に又は前記第２の抽斗に進退支持機構を介して支持された抽斗をさらに複数具備することを特徴とする請求項１、２、３、４、５、６、７、８又は９記載の什器。
【発明の詳細な説明】
【技術分野】
【０００１】
本発明は、什器本体に進退支持機構を介して抽斗を支持させてなる什器に関する。
【背景技術】
【０００２】
近時、オフィス等において、什器に種々の大きさを有する物品を区分して収納したいという要望が存在する。このような要望に対応するためには、種々の大きさの抽斗を設ける態様が考えられるが、複数の什器を並べた場合において、このような態様を採用した場合には、抽斗間に形成される目地に位置が不揃いとなって見栄えが悪いと感じられることがある。そこで、この不具合を解消すべく、抽斗の大きさは統一するとともに、小さな物品を好適に収納すべく、抽斗内部に第２の抽斗を配置可能にし、この第２の抽斗を什器本体内部に収納可能にしているものが考えられている。（例えば、特許文献１参照。）
【特許文献１】特開２００３−１５３７５３号公報
【発明の開示】
【発明が解決しようとする課題】
【０００３】
しかして、特許文献１記載の構成では、第２の抽斗を什器本体内部に収納可能にするために、什器本体に第２の抽斗をスライド移動可能に支持するレールを設けている。このような構成では、什器本体に前記レールを取り付ける必要があるので、第２の抽斗を設けない什器の什器本体と仕様の統一が困難となる。かつ、第１の抽斗の収納空間内に第２の抽斗を配置するので、第１の抽斗の収納空間の利用可能な部分が制限される。
【０００４】
本発明は、このような課題を解決すべく構成するものである。
【課題を解決するための手段】
【０００５】
すなわち、本発明に係る什器は、什器本体と、この什器本体に第１の進退支持機構を介して支持された第１の抽斗と、この第１の抽斗に第２の進退支持機構を介して支持された第２の抽斗とを具備してなることを特徴とする。
【０００６】
このようなものであれば、第２の抽斗を第１の抽斗に第２の進退支持機構を介して支持させるようにしているので、什器本体には第２の抽斗を支持するレール等の進退支持機構を設ける必要がなく、第２の抽斗を設けない什器と什器本体の仕様及び設計を共通化できる。従って、従来の構成を有する什器本体にこのような第１及び第２の抽斗を取り付けるようにすることができ、製造コストや設計コストの低減を図ることができる。さらに、このような構成を採用することにより、第１の抽斗に第２の抽斗を支持させている状態で該第１の抽斗及び該第２の抽斗にいろいろの大きさのものを収納できるとともに、例えば使用頻度の高いものを第２の抽斗、使用頻度が低いものを第１の抽斗に収納するようにして、使用頻度が高いものを使いやすい位置に収納するようにすることができる。すなわち、第１の抽斗に第２の抽斗を支持させている什器本体に、種々の大きさのもの、種々の使用頻度のものを、その収納物の大きさ及び使用頻度に応じて第１の抽斗及び第２の抽斗を使い分けて収納することができる。
【０００７】
第１の抽斗及び第２の抽斗をより有効に利用できる態様として、第１の進退支持機構による進退支持方向と第２の進退支持機構による進退支持方向とを略正反対に設定し、第１の抽斗を什器本体の外方に引き出した状態において、第２の抽斗を什器本体の内方に移動させ得るようにしているものが挙げられる。このようなものであれば、第１の抽斗を什器本体の外方に引き出した状態において、第２の抽斗を什器本体の内方に移動させることにより、第１の抽斗の内部空間を全て利用できるからである。また、第１の抽斗をゆっくり外方に引き出して第１及び第２の抽斗を一体的に什器本体の外方に移動させるようにするとともに、第１の抽斗を素早く外方に引き出して第１の抽斗のみを什器本体の外方に移動させるようにする態様を実現できる。
【０００８】
特に、第１、第２の進退支持機構が、前記第１、第２の抽斗を少なくともその奥行き寸法に相当する距離だけ進退し得るように支持するものであれば、前記第１、第２の抽斗が、いずれもその全体を什器本体の外部まで移動させることができるので、奥行き寸法の全体を収納空間として有効に利用できる。
【０００９】
また、第１の進退支持機構を、サスペンションレール機構を利用して形成しているものであれば、前記第１の抽斗を外方に引き出すための力が小さくてすむので、第１の抽斗を素早く外方に引き出して第１の抽斗のみを什器本体の外方に移動させるようにする態様をより有効に実現できる。
【００１０】
セキュリティを有効に確保するための態様として、第２の抽斗を第１の抽斗にロックするための第２抽斗施錠装置を備えているものが挙げられる。このようなものであれば、第２の抽斗を第１の抽斗にロックしておくことで、第２の抽斗下方の空間へのアクセスを禁止できるからである。
【００１１】
特に、第２の抽斗を、第１の抽斗の上面開口部を略全面的に閉塞する閉止位置に配し得るものであれば、第２の抽斗を前記閉止位置にロックしておくことにより第１の抽斗の内部へのアクセスを禁止することができる。
【００１２】
また、第２の抽斗が、第１の抽斗の特定の空間を閉塞し得る形状のものであり、第２の進退支持機構が、前記第２の抽斗を、前記特定の空間を閉塞する閉止位置と、前記特定の空間を開放する開放位置との間で進退し得るように支持するものであれば、第２の抽斗を前記閉止位置にロックすることにより、第１の抽斗の前記特定の空間内部へのアクセスを禁止することができる。
【００１３】
前記したような第２抽斗施錠装置を備えている場合において、セキュリティをより有効に確保するための態様として、第１の抽斗を什器本体にロックするための第１抽斗施錠装置を備えているものが挙げられる。このようなものであれば、通常は前記第２抽斗施錠装置により第２の抽斗を前記閉止位置において第１の抽斗にロックしておき、ある者には第１抽斗施錠装置のキーのみを渡して第１の抽斗全体あるいは特定空間へのアクセスを禁止し、別のある者には第１抽斗施錠装置及び第２抽斗施錠装置のキーを渡して第１及び第２の抽斗内部全体へのアクセスを許可するといった段階的なアクセス制御が可能になるからである。
【００１４】
大きな深さ寸法を有する抽斗の内部空間をさらに有効に活用できる態様として、前記第１の抽斗に第３の進退支持機構を介して支持された第３の抽斗をさらに具備するものが挙げられる。
【００１５】
大きな深さ寸法を有する抽斗の内部空間をさらに有効に活用できる別の態様として、前記第１の抽斗に又は前記第２の抽斗に進退支持機構を介して支持された抽斗をさらに複数具備するものが挙げられる。
【発明の効果】
【００１６】
本発明に係る構成によれば、第２の抽斗を第１の抽斗に第２の進退支持機構を介して支持させるようにしているので、什器本体には第２の抽斗を支持するレール等の進退支持機構を設ける必要がなく、第２の抽斗を設けない什器と什器本体の仕様及び設計を共通化できる。従って、従来の構成を有する什器本体にこのような第１及び第２の抽斗を取り付けるようにすることができ、製造コストや設計コストの低減を図ることができる。さらに、このような構成を採用することにより、第１の抽斗に第２の抽斗を支持させている状態で該第１の抽斗及び該第２の抽斗にいろいろの大きさのものを収納できるとともに、例えば使用頻度の高いものを第２の抽斗、使用頻度が低いものを第１の抽斗に収納するようにして、使用頻度が高いものを使いやすい位置に収納するようにすることができる。すなわち、第１の抽斗に第２の抽斗を支持させている什器本体に、種々の大きさのもの、種々の使用頻度のものを、その収納物の大きさ及び使用頻度に応じて第１の抽斗及び第２の抽斗を使い分けて収納することができる。
【発明を実施するための最良の形態】
【００１７】
以下、本発明の一実施形態を、図面を参照して説明する。
【００１８】
本発明に係る什器Ｃは、図１に全体斜視図、図２に図１における要部を拡大して示した図、図３に側面図をそれぞれ示すように、什器本体１と、この什器本体１に上下３段に設けられ、該什器本体１に第１の進退支持機構３を介して支持された第１の抽斗２と、この第１の抽斗２のうち上段に配置されるもの（以下上段抽斗２ａと称する）に第２の進退支持機構５を介して支持された第２の抽斗４と、第１の抽斗２を什器本体１にロックするための第１抽斗施錠装置６と、第２の抽斗４を上段抽斗２ａにロックするための第２抽斗施錠装置７を具備する。
【００１９】
より具体的には、前記什器本体１は、本実施形態では例えば板金加工により形成された直方体状のものであり、その内側面に前記第１の進退支持機構３を上下に離間して計３対取付可能に構成している。そして、この什器本体１の内部空間に、前記第１の抽斗２を上下３段に収納可能に構成している。なお、什器本体１は、樹脂により形成されたものや、木材を加工して形成したもの等、直方体状をなし内部空間に第１の抽斗２を収納可能なものであれば材質は問わない。
【００２０】
前記第１の抽斗２は、従来この種の什器に用いられる抽斗として周知のものとほぼ同様の構成を有する。すなわち、図４に平面図、図５に正面図、図６に側面図をそれぞれ示すように、この第１の抽斗２の前面を構成する鏡板２１と、第１の抽斗２の両側面を構成する左右１対の側板２２、２２と、この第１の抽斗２の背面を構成する背板２３と、この第１の抽斗２の底面を構成する底板２４とを有する。さらに、この第１の抽斗２のうち上段に配置されるもの（以下上段抽斗２ａと称する）には、前記第２の進退支持機構５を取り付けていて、第２の抽斗４を支持するようにしている。加えて、第１の抽斗２には、奥行き方向に延伸する板状の仕切部材９を、この第１の抽斗２の内部空間の幅寸法を４等分する位置に取り付け可能にしている。本実施形態では、この第１の抽斗２の内部空間の幅寸法は、標準的なＣＤケースの幅寸法の約４倍に設定している。
【００２１】
前記第１の進退支持機構３は、本実施形態ではダブルサスペンションレール機構を利用して形成している。すなわち、前記什器本体１の内側面に取り付けられる外側レール３１と、前記第１の抽斗２の外側面に取り付けられる内側レール３２と、これら外側レール３１及び内側レール３２の間をスライド自在に連結する中間レール３３とから構成されている。そして、第１の抽斗２は、この第１の進退支持機構３によりその奥行き寸法に相当する距離だけ進退し得るように支持されている。
【００２２】
前記第２の抽斗４は、前記上段抽斗２ａの鏡板２１の上部の後方に位置し、この第２の抽斗４の前面を構成する鏡板４１と、第２の抽斗４の両側面を構成する左右１対の側板４２、４２と、この第２の抽斗４の背面を構成する背板４３と、この第２の抽斗４の底面を構成する底板４４とを有する。また、この第２の抽斗４にも、奥行き方向に延伸する板状の仕切部材９を、この第２の抽斗４の内部空間の幅寸法を４等分する位置に取り付け可能にしている。本実施形態では、この第２の抽斗４の内部空間の幅寸法も、標準的なＣＤケースの幅寸法の約４倍に設定している。
【００２３】
前記第２の進退支持機構５は、本実施形態ではダブルサスペンションレール機構を利用して形成している。すなわち、前記図４、図５、図６、及び図５における要部を拡大した図である図７に示すように、前記上段抽斗２ａの内側面に取り付けられる外側レール５１と、前記第２の抽斗４の外側面に取り付けられる内側レール５２と、これら外側レール５１及び内側レール５２の間をスライド自在に連結する中間レール５３とから構成されている。第２の抽斗４は、この第２の進退支持機構５によりその奥行き寸法に相当する距離だけ進退し得るように支持されている。また、この第２の進退支持機構５による進退支持方向は、前記第１の進退支持機構３による進退支持方向と略正反対に設定している。すなわち、前記第１の進退支持機構３は第１の抽斗２を什器本体１の内部から外方へスライド可能に支持しているのに対し、この第２の進退支持機構５は第２の抽斗４を什器本体１の外方から該什器本体１の内方に向けてスライド可能に支持している。そして、前記第１の進退支持機構３により上段抽斗２ａを什器本体１の外方に引き出した状態において、第２の抽斗４を該什器本体１の内方に完全に収納される位置まで移動可能にしている。
【００２４】
また、第２の抽斗４は、本実施形態では上段抽斗２ａの上面開口部を略全面的に閉塞する閉止位置に配し得るようにしている。すなわち、第２の抽斗４の奥行き寸法と上段抽斗２ａの奥行き寸法とを略等しく設定しているとともに、第２の抽斗４の幅寸法と上段抽斗２ａの幅寸法とを略等しく設定している。なお、前記図１、図２、及び図３においては、第２の抽斗４を前記閉止位置に配した状態を示している。一方、前記図４、図５、及び図６においては、上段抽斗２ａを什器本体１の外方に引き出した状態において、第２の抽斗４を該什器本体１の内方に完全に収納される位置まで移動させた状態を示している。
【００２５】
前記第１抽斗施錠装置６は、本実施形態ではシリンダーロック機構として周知のものと同様の構成を有する。すなわち、図示はしないが、第１の抽斗２に取り付けられる錠前部と、この錠前部から突出して設けられ、什器本体に設けた係止孔と係合可能なロック爪部とを有する。
【００２６】
前記第２抽斗施錠装置７も、本実施形態ではシリンダーロック機構として周知のものと同様の構成を有する。すなわち、図示はしないが、第２の抽斗４に取り付けられる錠前部と、この錠前部から突出して設けられ、上段抽斗２ａに設けた係止孔と係合可能なロック爪部とを有する。この第２抽斗施錠装置７を機能させた状態において、第２の抽斗４は、前記閉止位置にロックされる。
【００２７】
前記第２抽斗施錠装置７を機能させていない状態において、什器本体１から上段抽斗２ａを引き出す際に、手早く引き出した場合には、前記第１の進退支持機構３が作動して上段抽斗２ａが什器本体１の外方に引き出される一方、慣性により第２の抽斗４は什器本体１の内方にとどまる。また、同じく前記第２抽斗施錠装置７を機能させていない状態において、ゆっくり引き出した場合には、前記第１の進退支持機構３が作動して上段抽斗２ａが什器本体１の外方に引き出されるとともに、第２の抽斗４もこの上段抽斗２ａと一体的に什器本体１の外方に引き出される。そして、同じく前記第２抽斗施錠装置７を機能させている状態においては、什器本体１から上段抽斗２ａを引き出す速度に関わらず、第２の抽斗４が前記閉止位置において上段抽斗２ａにロックされているので、第２の抽斗４は上段抽斗２ａの上面開口部を略全面的に閉塞した状態で第１の抽斗２と一体的に什器本体１の外方に引き出される。
【００２８】
以上に述べたように、本実施形態に係る什器Ｃは、什器本体１と、この什器本体１に第１の進退支持機構３を介して支持された第１の抽斗２と、この第１の抽斗２のうちの１つである上段抽斗２ａに第２の進退支持機構５を介して支持された第２の抽斗４とを具備するので、什器本体１には第２の抽斗４を支持するレール等の進退支持機構を設ける必要がなく、第２の抽斗を設けない什器と什器本体の仕様及び設計を共通化できる。従って、従来のものと同様の構成を有する什器本体１にこのような第１及び第２の抽斗２、４を取り付けるようにすることができ、製造コストや設計コストの低減を図ることができる。さらに、このような構成を採用することにより、上段抽斗２ａに第２の抽斗４を支持させている状態で該上段抽斗２ａ及び該第２の抽斗４にいろいろの大きさのものを収納できるとともに、例えば使用頻度の高いものを第２の抽斗４、使用頻度が低いものを上段抽斗２ａに収納するようにして、使用頻度が高いものを使いやすい位置に収納するようにすることができる。すなわち、上段抽斗２ａに第２の抽斗４を支持させている什器本体１に、種々の大きさのもの、種々の使用頻度のものを、その収納物の大きさ及び使用頻度に応じて第１の抽斗２（上段抽斗２ａ）及び第２の抽斗４を使い分けて収納することができる。なお、中段又は下段に位置する第１の抽斗２に第２の進退支持機構５を介して第２の抽斗４を支持させるようにしてももちろんよい。また、什器本体１に第１の抽斗２を１つのみ、又は上下２段に収納可能なものであってもよく、什器本体１に第１の抽斗２を上下４段以上に収納可能なものであってもよい。
【００２９】
また、第１の進退支持機構３による進退支持方向と第２の進退支持機構５による進退支持方向とを略正反対に設定し、第１の抽斗２を什器本体１の外方に引き出した状態において、第２の抽斗４を什器本体１の内方に移動させ得るようにしているので、第１の抽斗２を什器本体１の外方に引き出した状態において、第２の抽斗４を什器本体１の内方に移動させることにより、第１の抽斗２の内部空間を全て利用できるようになり、第１の抽斗２及び第２の抽斗４をより有効に利用できる。また、第１の抽斗２をゆっくり外方に引き出して第１及び第２の抽斗２、４を一体的に什器本体１の外方に移動させるようにするとともに、第１の抽斗２を素早く外方に引き出して第１の抽斗２のみを什器本体１の外方に移動させるようにする態様を実現できる。
【００３０】
さらに、第１、第２の進退支持機構３、５が、前記第１、第２の抽斗２、４を少なくともその奥行き寸法に相当する距離だけ進退し得るように支持するので、前記第１、第２の抽斗２、４の全体を什器本体１の外部まで移動させることができ、これら第１、第２の抽斗２、４の奥行き寸法の全体を収納空間として有効に利用できる。
【００３１】
また、第１の進退支持機構３を、サスペンションレール機構を利用して形成しているので、前記第１の抽斗２を外方に引き出すための力が小さくてすみ、上段抽斗２ａを素早く外方に引き出して上段抽斗２ａのみを什器本体１の外方に移動させるようにする態様をより有効に実現できる。
【００３２】
加えて、第２の抽斗４を第１の抽斗２にロックするための第２抽斗施錠装置７を備えているので、この第２抽斗施錠装置７により第２の抽斗４を第１の抽斗２にロックしておくことで、第２の抽斗４下方の空間へのアクセスを禁止でき、セキュリティを有効に確保することができる。
【００３３】
特に、本実施形態では第２の抽斗４を、第１の抽斗２の上面開口部を略全面的に閉塞する閉止位置に配し得るので、第２の抽斗４を前記閉止位置にロックしておくことにより第１の抽斗２の内部へのアクセスを禁止することができる。
【００３４】
さらに、第１の抽斗２を什器本体１にロックするための第１抽斗施錠装置６を備えているので、通常は前記第２抽斗施錠装置７により第２の抽斗４を前記閉止位置において第１の抽斗２にロックしておき、ある者には第１抽斗施錠装置６のキーのみを渡して第１の抽斗２内部へのアクセスは禁止し、別のある者には第１抽斗施錠装置６及び第２抽斗施錠装置７のキーを渡して第１及び第２の抽斗内部２、４全体へのアクセスを許可するといった段階的なアクセス制御が可能である。従って、セキュリティをさらに有効に確保することができる。
【００３５】
なお、本発明は以上に述べた実施形態に限られない。
【００３６】
例えば、側面図を図８に示すように、上述した実施形態における第１の抽斗に第３の進退支持機構１０２を介して支持された第３の抽斗１０１をさらに具備する什器Ｃが考えられる。この什器の第１、第２、及び第３の抽斗２、４、１０１について、図９に平面図、図１０に正面図、図１１に側面図をそれぞれ示す。
【００３７】
前記第３の抽斗１０１は、略直方体状をなし上方に開口するもので、前記第２の抽斗の下方に設けられる。
【００３８】
前記第３の進退支持機構１０２は、前記第３の抽斗１０１の前後両端部に設けられる転動輪１０２１を前記第１の抽斗２の内底面の前後両端部に設けられるレール１０２２上に配置してなるものであり、前記第３の抽斗１０１を前記第１の抽斗２の幅方向に進退可能に支持している。なお、この態様では、第１の抽斗２及び第２の抽斗４に、奥行き方向に延伸する板状の仕切部材９を、これら第１の抽斗２及び第２の抽斗４の内部空間の幅寸法をそれぞれ６等分する位置に取り付け可能にしている。本実施形態では、これら第１の抽斗２及び第２の抽斗４の内部空間の幅寸法は、標準的なＭＤ（登録商標）の幅寸法の約６倍に設定している。さらに、この態様では、第３の抽斗１０１及び第２の抽斗４にも、奥行き方向に延伸する板状の仕切部材９を、該第３の抽斗１０１の内部空間の幅寸法を２等分する位置に取り付け可能にしている。本実施形態では、この第３の抽斗１０１の内部空間の幅寸法は、標準的なＭＤ（登録商標）の幅寸法の約２倍に設定している。
【００３９】
また、第３の抽斗を第２の抽斗に進退支持機構を介して支持させる態様も考えられる。さらに、第２の抽斗及び第３の抽斗を第１の抽斗に進退支持機構を介して支持させるものであって、第１の抽斗を什器本体に支持する第１の進退支持機構による進退支持方向と、前記第２の抽斗及び第３の抽斗を第１の抽斗に支持する進退支持機構による進退支持方向とを略正反対に設定し、第１の抽斗を什器本体の外方に引き出した状態において、第２の及び第３の抽斗を什器本体の内方に移動させ得るようにする態様も考えられる。その際、第３の抽斗を第２の抽斗又は第１の抽斗にロックするための第３抽斗施錠装置を備えれば、第１の抽斗又は第２の抽斗における第３の抽斗下方の特定空間に対するアクセスを禁止できる。特に、第３の抽斗が第１の抽斗又は第２の抽斗の上面開口部を全面的に閉塞するものであれば、第１の抽斗又は第２の抽斗の内部空間全体に対するアクセスを禁止できる。
【００４０】
加えて、第２の抽斗を第１の抽斗にロックするための第２抽斗施錠装置を備えているものであれば、第２の抽斗が、第１の抽斗の特定の空間、例えば前半部のみを閉塞し得る形状のものであるとともに、第２の進退支持機構が、前記第２の抽斗を、前記特定の空間を閉塞する閉止位置と、前記特定の空間を開放する開放位置との間で進退し得るように支持するように構成するものであってもよい。このようなものであっても、第２の抽斗を前記閉止位置にロックしておくことにより、前記特定の空間へのアクセスを制限する効果を得ることはできる。
【００４１】
一方、第２抽斗施錠装置は必ずしも設ける必要はない。この場合、第１抽斗施錠装置を解錠状態にすることにより、第１及び第２の抽斗全体へのアクセスを許可し、第１抽斗施錠装置を施錠状態にすることにより、第１及び第２の抽斗全体へのアクセスを禁止するアクセス制御のみを実現できる。
【００４２】
さらに、以上の説明においては、什器にＣＤやＭＤ（登録商標）を収納する態様について述べたが、什器に収納する収納物はもちろんＣＤやＭＤ（登録商標）に限られない。
【００４３】
その他、本発明の趣旨を損ねない範囲で種々に変形してよい。
【図面の簡単な説明】
【００４４】
【図１】本発明の一実施形態に係る什器を示す全体斜視図。
【図２】図１における要部を拡大して示した図。
【図３】同実施形態における什器を示す側面図。
【図４】同実施形態における什器の抽斗を示す平面図。
【図５】同実施形態における什器の抽斗の鏡板を除いた状態を示す正面図。
【図６】同実施形態における什器の抽斗を示す側面図。
【図７】図４における要部を拡大して示した図。
【図８】本発明の他の実施形態に係る什器を示す側面図。
【図９】同実施形態における什器の抽斗を示す平面図。
【図１０】同実施形態における什器の抽斗の鏡板を除いた状態を示す正面図。
【図１１】同実施形態における什器の抽斗を示す側面図。
【符号の説明】
【００４５】
Ｃ…什器
１…什器本体
２…第１の抽斗
２ａ…上段抽斗（第１の抽斗）
３…第１の進退支持機構
４…第２の抽斗
５…第２の進退支持機構
６…第１抽斗施錠機構
７…第２抽斗施錠機構
１０１…第３の抽斗
１０２…第３の進退支持機構
【図１】
2006192163.tif 000003
【図２】
2006192163.tif 000004
【図３】
2006192163.tif 000005
【図４】
2006192163.tif 000006
【図５】
2006192163.tif 000007
【図６】
2006192163.tif 000008
【図７】
2006192163.tif 000009
【図８】
2006192163.tif 000010
【図９】
2006192163.tif 000011
【図１０】
2006192163.tif 000012
【図１１】
2006192163.tif 000013